(57)【要約】【課題】一度使用した従来のロール状包装材料収納カートンを再利用するために使用する詰め替え用ロール状包装材料を充分保護することができ、かつ、簡単に形成することができる構造の詰め替え用ロール状包装材料収納カートンを提供することにある。【解決手段】本発明は、詰め替え用のロール状包装材料を収納するカートンであって、カートン本体を従来の切断手段を備えたロール状包装材料収納カートンの中に密接した状態で収容可能な形状、寸法としたことを特徴とする詰め替え用ロール状包装材料収納カートンであり、この詰め替え用ロール状包装材料収納カートンカートンが、カートン本体と蓋体とからなり、蓋体がカートン本体から切り取り可能であることを特徴としている【選択図】図２
2005112376.tif 000002
【特許請求の範囲】
【請求項１】
詰め替え用のロール状包装材料を収納するカートンであって、カートン本体を従来の切断手段を備えたロール状包装材料収納カートンの中に密接した状態で収容可能な形状、寸法としたことを特徴とする詰め替え用ロール状包装材料収納カートン
【請求項２】
前記カートンが、カートン本体と蓋体とからなり、前記蓋体が前記カートン本体から切り取り可能であることを特徴とする請求項１に記載の詰め替え用ロール状包装材料収納カートン
【発明の詳細な説明】
【技術分野】
【０００１】
本発明は、食品包装などに用いられるロール状のラップフィルムなどの詰め替え用ロール状包装材料を収納するカートンに関するものであり、詳しくは、一度使用した従来のロール状包装材料収納カートンに収容して使用できる詰め替え用ロール状包装材料収納カートンに関するものである。
【背景技術】
【０００２】
食品などを包むのに用いられるラップフィルムなどのロール状包装材料は、通常、紙筒にロール状に巻かれた状態で紙製のカートン内に収納されている。この従来のロール状包装材料収納カートンＰは、図４−ａに示すように、カートンの外に切断手段である切断刃Ｈを備えた通称オープンタイプと、図４−ｂに示すように、蓋体となる部分の内側に切断刃Ｈを備えたボックスタイプとがある。そして、ロール状包装材料収納カートンからラップフィルムなどのロール状包装材料Ｒを所望の長さに引き出した後、カートンに付いた金属刃Ｈ等により切断して使用するような形態となっている。
【０００３】
最近、包装容器において、一度使用した容器をそのまま廃棄してしまうことは、資源を有効利用するという観点からは好ましくなく、再使用、再利用することが社会的に要求されるようになっている。このロール状包装材料収納カートンにおいても、環境に対応することが要求されており、廃棄する時に、切断手段である金属刃をカートンから分別することが要求されている。また、一度使用したロール状包装材料収納カートンを廃棄せずに、内容物であるロール状包装材料だけを交換して使用できるように、詰め替え用ロール状包装材料をプラスチックフィルム等で包装しただけの形態で供給する方法等が提案されている（例えば、特許文献１を参照）。
【特許文献１】実公昭５３−７９８８号公報
【発明の開示】
【発明が解決しようとする課題】
【０００４】
しかしながら、詰め替え用ロール状包装材料をフィルム等で包装しただけの形態では、外からの力に弱く、流通途中で外傷等が発生しやく、衛生上好ましくないという問題がある。
【０００５】
また、板紙からなるロール状包装材料収納カートンを再利用した場合、潰されたりして部分的に変形して強度が低下しており、再使用した場合、ロール状包装材料を引き出す時にトラブルを生じやすくなっている。その問題を解消するためには、強度のあるプラスチック製の容器にするか、ロール状包装材料収納カートンに使用する板紙の剛度を上げるために板紙の坪量を上げる必要があり、いずれにしろ材料コストが高くなるという問題がある。
【０００６】
本発明は、上記のような問題点に鑑みなされたものであり、その目的とするところは、一度使用した従来のロール状包装材料収納カートンを再利用するために使用する詰め替え用ロール状包装材料を充分保護することができ、かつ、簡単に形成することができる構造の詰め替え用ロール状包装材料収納カートンを提供することにある。
【課題を解決するための手段】
【０００７】
上記目的を達成するために、本発明は、詰め替え用のロール状包装材料を収納するカートンであって、カートン本体を従来の切断手段を備えたロール状包装材料収納カートンの中に密接した状態で収容可能な形状、寸法としたことを特徴とするロール状包装材料収納カートンである。また、前記カートンが、カートン本体と蓋体とからなり、前記蓋体が前記カートン本体から切り取り可能であることを特徴としている
【発明の効果】
【０００８】
本発明の詰め替え用ロール状包装材料収納カートンによれば、詰め替え用包装材料を収納して一度使用した従来のロール状包装材料収納カートンに収容して、従来のロール状包装材料収納カートンを何度も繰り返して使用することができるので、資源の削減に役立つという効果がある。一方、消費者にとっては、金属刃を分別廃棄する手間を軽減され、安価な製品を購入することができるというメリットがある。
【発明を実施するための最良の形態】
【０００９】
つぎに、本発明の詰め替え用ロール状包装材料収納カートンの実施の形態の一実施例を図面を基にして説明する。図１は本発明の詰め替え用ロール状包装材料収納カートンの実施例を示す斜視図であり、図２は図１に示す詰め替え用ロール状包装材料収納カートンを従来のロール状包装材料収納カートンに収容した状態を示す斜視図であり、図３は図１に示す詰め替え用ロール状包装材料収納カートンのブランクの展開図であり、そして、図４は従来のロール状包装材料収納カートンを示す斜視図である。
【００１０】
図１は、本発明の詰め替え用ロール状包装材料収納カートンの一実施例を示す斜視図であり、詰め替え用ロール状包装材料収納カートン１は、ラップフィルム等を紙管に巻回した詰め替え用ロール状包装材料Ｒを収納するカートン本体１０と蓋体２０とから構成されている。全体の形状は、従来のロール状包装材料収納カートンＰの中に収容できる大きさが好ましく、従来のロール状包装材料収納カートンＰの中で遊びを小さくして収容することによって、使用する時に従来のロール状包装材料収納カートンＰの強度を効果的に高くすることができる。従って、製造メーカー、銘柄、巻きメーターのそれぞれの従来のロール状包装材料収納カートンＰの種類に対応した大きさに設定する必要がある。
【００１１】
また、使用するときには、図２―ａに示すように、カートン本体１０から蓋体２０を切り取って取り除いて従来のロール状包装材料収納カートンＰに収容するために、蓋体２０を折れ線ｆでカートン本体１０から切り取りやすくしている。
【００１２】
このように、本発明の詰め替え用ロール状包装材料収納カートン１のカートン本体１０を従来のロール状包装材料収納カートンＰの中に収容して、再び、図２―ｂに示すように、ラップフィルムＦ等を引き出して使用することができる。
【００１３】
図３は、本発明は詰め替え用ロール状包装材料収納カートン１のブランクを示す展開図である。ブランク１Ａは、詰め替え用ロール状包装材料Ｒを収納するカートン本体１０の部分とカートン本体１０の開口部を覆う蓋体２０の部分から構成されている。カートン本体１０の部分では本体前板１１、本体底板１２、本体後板１３が順次折れ線ａ、ｂを介して連設され、本体前板１１の両側辺には、本体折り込み片１４、１４がそれぞれ折れ線ｃ、ｃを介して連設され、本体底板１２の両側辺には、本体側板１５、１５がそれぞれ折れ線ｄ、ｄを介して連設され、そして、本体後板１３の両側辺には、本体折り込み辺１６、１６がそれぞれ折れ線ｅ、ｅを介して連設されている。
【００１４】
一方、蓋体２０の部分では、蓋体蓋板２１が本体後板１３の下辺に折れ線ｆを介して連設され、そして、この蓋体蓋板２１の下辺には、差し込み片２２が折れ線ｇを介して連設されている。また、蓋体２０が本体カートン１０から切り取りやすいように、本体後板１３と蓋体蓋板２１との折れ線ｆは、ミシン目、リード罫、半切れ線等としている。
【００１５】
また、本発明の詰め替え用ロール状包装材料収納カートン１に使用する板紙は、省資源の観点から必要最小限の坪量のものを使用する好ましく、例えば、坪量が２００〜３００ｇ／ｍ2の範囲の板紙を使用することが好ましい。
【００１６】
つぎに、上記の構成からなる板紙製のブランク１Ａを組み立てて本発明の詰め替え用ロール状包装材料収納カートン１を形成する工程を説明する。すなわち、ブランク１Ａの必要な箇所に糊付けしつつ折れ線に従って折り曲げて折り畳まれた詰め替え用ロール状包装材料収納カートン１を作製し、その後、自動充填包装ラインで詰め替え用ロール状包装材料収納カートン１の中にロール状に巻かれたラップフィルムＦの詰め替え用ロール状包装材料Ｒを収納する。この詰め替え用ロール状包装材料Ｒの充填包装は、従来のロール状包装材料収納カートンＰの充填包装と同様の工程で行うことができる。
【００１７】
なお、上記にあげた詰め替え用ロール状包装材料収納カートン１の形態は、一例に過ぎず、その形状は、従来の金属刃等を備えたロール状包装材料収納カートンの中に密接した状態で収容可能な形状、寸法であれば、シールカートン形式、サック形式、ボトム形式等のカートンであってもよい。
【００１８】
実際に、本発明の詰め替え用ロール状包装材料収納カートン１を使用するには、図２に示すように、蓋体前板２２を本体前板１１から剥がした後、蓋体蓋板２１を本体後板１３から切り取り、詰め替え用ロール状包装材料Ｒが収納されたカートン本体１０を使用済みで空の従来のロール状包装材料収納カートンＰの中に収容して、従来のロール状包装材料収納カートンＰの使用方法と同様に、中のラップフィルムＦの端縁を摘んで所望の長さだけ引き出してから切断刃Ｈで切断して使用することができる。
【００１９】
なお、上記にあげた詰め替え用ロール状包装材料収納カートン１の形態は、一例に過ぎず、その形状は、従来の金属刃等を備えたロール状包装材料収納カートンの中に密接した状態で収容可能な形状、寸法であれば、シールカートン形式、サック形式、ボトム形式等のカートンであってもよい。
【産業上の利用可能性】
【００２０】
本発明の詰め替え用ロール状包装材料収納カートンに収納する詰め替え用ロール状包装材料Ｒは、主にラップフィルムＦであり、例えば、塩化ビニリデン系、塩化ビニール系、ポリエチレン系などの合成樹脂フィルムである。また、ラップフィルムＦ以外にも、アルミホイル、ワックスペーパー、その他家庭または店舗等での詰め替え用ロール状包装材料についても利用可能なものである。
【図面の簡単な説明】
【００２１】
【図１】本発明の詰め替え用ロール状包装材料収納カートンの実施例を示す斜視図である。
【図２】図１に示す詰め替え用ロール状包装材料収納カートンを従来のロール状包装材料収納カートンに収容した状態を示す斜視図である。
【図３】図１に示す詰め替え用ロール状包装材料収納カートンのブランクの展開図である。
【図４】従来のロール状包装材料収納カートンを示す斜視図である。
【符号の説明】
【００２２】
１    詰め替え用ロール状包装材料収納カートン
１Ａ  ブランク
１０    カートン本体
１１    本体前板
１２    本体底板
１３    本体後板
１４    本体折り込み片
１５    本体側板
１６    本体折り込み片
２０    蓋体
２１    蓋体蓋板
２２    蓋体前板
Ｒ    詰め替え用ロール状包装材料
Ｈ    切断刃
Ｆ    ラップフィルム
ａ〜ｇ  折れ線
【図１】
2005112376.tif 000003
【図２】
2005112376.tif 000004
【図３】
2005112376.tif 000005
【図４】
2005112376.tif 000006